(57)【要約】【課題】ＶＣＣ別交換を通じて迅速で柔軟なチャネル交換を可能にするデジタル放送チャネルスイッチング装置を提供する。【解決手段】光信号をＶＣＣ別ＡＴＭセルに変換する光信号受信部２０１と、そのＡＴＭセルからヘッダー情報及びペイロード部を出力する分類部２０２と、各ＶＣＣ該当のＡＴＭセルのペイロード部をそれぞれ受け、これに含まれた多数のデジタル放送チャネルデータから放送チャネル別ＰＩＤを抽出し、制御部２０３の制御で選択放送チャネルデータを出力するＰＩＤ分析部２０４と、出力されたチャネルデータを制御部２０３の制御で交換するスイッチ２０５と、を備え、制御部２０３は、ヘッダー情報により放送チャネル情報を更新し、加入者希望放送チャネルを含むＶＣＣ情報に基づきＰＩＤ分析部が希望放送チャネルを出力するように制御し、該チャネルが該当加入者へ交換されるようにスイッチを制御する。【選択図】図２
2004343772.tif 000002
【特許請求の範囲】
【請求項１】
多数のデジタル放送チャネルデータをＶＣＣ（Virtual Channel Connection）別に分けて転送する光伝送網のデジタル放送チャネルスイッチング装置において、
ＯＬＴ（Optical Line Terminal）からの光信号をＶＣＣ別に分類されたＡＴＭセルに変換する光信号受信部と、
前記光信号受信部から伝達される前記ＶＣＣ別に分類されたＡＴＭセルからヘッダー情報及びペイロード部を各々出力するＡＴＭセルＶＣＣ別分類部と、
前記ヘッダー情報を受けて制御を行う制御部と、
前記ＡＴＭセルＶＣＣ別分類部から各ＶＣＣに該当するＡＴＭセルの前記ペイロード部をそれぞれ受け、該ペイロード部に含まれた多数のデジタル放送チャネルデータから放送チャネル別ＰＩＤ（Program ID）を抽出し、前記制御部の制御に応じて前記ペイロード部に含まれた多数の放送チャネルデータのうち一つの放送チャネルデータを出力する所定の個数のＰＩＤ分析部と、
前記ＰＩＤ分析部から出力された放送チャネルデータを受信し、これを前記制御部の制御に応じて該当加入者へスイッチングするスイッチと、を備え、
前記制御部は、前記ＡＴＭセルＶＣＣ別分類部から前記ＶＣＣ別に分類されたＡＴＭセルのヘッダー情報を受けて放送チャネル情報をアップデートし、前記加入者から希望する放送チャネルの選択情報を受信し、その希望する放送チャネルが含まれたＶＣＣ情報に基づいて前記ＰＩＤ分析部が前記希望する放送チャネルを出力するように制御し、該出力されたチャネルが該当加入者へ交換されるように前記スイッチを制御することを特徴とするＶＣＣ情報を利用したデジタル放送チャネルスイッチング装置。
【請求項２】
ヘッダー情報は、
ＶＣＣ別に分類されたＡＴＭセルがＡＴＭ ＶＣＣであることを表示するＡＴＭ ＶＣＣフィールドと、
新しい放送チャネルの追加、既存の放送チャネルの除去、そして放送チャネルの再配置を含むＶＣＣ別放送チャネルの変化を表示するために、前記ＶＣＣ別に分類されたＡＴＭセルのペイロード部に含まれた各々の放送チャネルフィールドのＰＩＤ情報に対応する放送局情報を含むチャネル情報フィールドと、
前記各々の放送チャネルフィールドの開始及び終了位置を表示するチャネル位置フィールドと、を含む請求項１に記載のデジタル放送チャネルスイッチング装置。
【請求項３】
制御部は、
ＡＴＭセルＶＣＣ別分類部からＶＣＣ別に分類されたＡＴＭセルのヘッダー情報を受信して放送チャネル情報をアップデートする第１機能と、
加入者から希望放送チャネルの選択情報を受け、前記アップデートされた放送チャネル情報から前記希望放送チャネルが含まれたＶＣＣ情報を検索し、該当ＶＣＣ情報に基づいてＰＩＤ分析部に前記希望放送チャネルに対する出力信号を転送して前記希望放送チャネルを出力するように制御する第２機能と、
前記第２機能により出力された放送チャネルが該当加入者へ交換されるようにスイッチを制御する第３機能と、を行う請求項１に記載のデジタル放送チャネルスイッチング装置。
【請求項４】
多数のデジタル放送チャネルデータをＶＣＣ（Virtual Channel Connection）別に分けて転送する光伝送網のデジタル放送チャネルスイッチング方法において、
ＯＬＴ（Optical Line Terminal）から受信した光信号をＶＣＣ別に分類されたＡＴＭセルに変換する第１段階と、
前記第１段階でＶＣＣ別に分類されたＡＴＭセルに含まれるヘッダー部によりＶＣＣ別に放送チャネル情報をアップデートする第２段階と、
前記第１段階でＶＣＣ別に分類されたＡＴＭセルに含まれるペイロード部を各々貯蔵し、このペイロード部に含まれた放送チャネルのＰＩＤ（Program ID）を抽出する第３段階と、
加入者から希望放送チャネルの選択情報を受け、前記第２段階のアップデートされたＶＣＣ別放送チャネル情報から前記希望放送チャネルが含まれたＶＣＣの情報を探す第４段階と、
前記第３段階でＶＣＣ別に貯蔵されたペイロード部のうちの前記第４段階で探したＶＣＣの情報に該当するぺーロード部から、前記希望放送チャネルの選択情報に従う放送チャネルデータだけを出力させる第５段階と、
前記第５段階で出力された放送チャネルデータを該当加入者へスイッチングする第６段階と、を含むことを特徴とするＶＣＣ情報を利用したデジタル放送チャネルスイッチング方法。
【請求項５】
ＶＣＣ別に分類されたＡＴＭセルはヘッダー部とペイロード部を含み、
前記ペイロード部は、多数の放送チャネルフィールドから構成され、
前記ヘッダー部は、該ＶＣＣ別に分類されたＡＴＭセルがＡＴＭ ＶＣＣであることを表示するＡＴＭ ＶＣＣフィールドと、新しい放送チャネルの追加、既存の放送チャネルの除去、そして放送チャネルの再配置を含むＶＣＣ別放送チャネルの変化を表示するために、前記ペイロード部に含まれた各々の放送チャネルフィールドのＰＩＤ情報に対応する放送局情報を含むチャネル情報フィールドと、前記各々の放送チャネルフィールドの開始及び終了位置を表示するチャネル位置フィールドとから構成される請求項４に記載のデジタル放送チャネルスイッチング方法。
【請求項６】
ペイロード部の放送チャネルフィールドは、
デジタル放送データであるＭＰＥＧデータフィールドと、
前記ＭＰＥＧデータフィールドのチャネル情報を含むＰＩＤ情報フィールドと、から構成される請求項５に記載のデジタル放送チャネルスイッチング方法。
【請求項７】
ＶＣＣ（Virtual Channel Connection）別に分類されたＡＴＭセルのヘッダー部から各々のＶＣＣの放送チャネル情報をアップデートする手段、
ＶＣＣ別に分類されたＡＴＭセルの各ペイロード部を貯蔵し、該ペイロード部に含まれた放送チャネル別ＰＩＤ（Program ID）を抽出する手段、
各々のＶＣＣのアップデートされた放送チャネル情報から、加入者の希望放送チャネルのＶＣＣ情報を検索して該当加入者が希望放送チャネルを受信できるようにする手段、
前記貯蔵されたペイロード部のうちの前記検索されたＶＣＣ情報に該当するペイロード部から前記希望放送チャネルのデータだけを出力する手段、
前記出力された放送チャネルデータを該当加入者へスイッチングする手段としてコンピュータを動作させるようにしたことを特徴とするＶＣＣ別に多数のデジタル放送チャネルデータを分類するためのプログラムを記録したコンピュータ読み取り可能な記録媒体。
【請求項８】
ＶＣＣ別に分類されたＡＴＭセルはヘッダー部とペイロード部を含み、
前記ペイロード部は多数の放送チャネルフィールドをもち、
前記ヘッダー部は、該ＶＣＣ別に分類されたＡＴＭセルがＡＴＭ ＶＣＣであることを表示するＡＴＭ ＶＣＣフィールドと、新しい放送チャネルの追加、既存の放送チャネルの除去、そして放送チャネルの再配置を含むＶＣＣ別放送チャネルの変化を表示するために、前記ペイロード部に含まれた各々の放送チャネルフィールドのＰＩＤ情報に対応する放送局情報を含むチャネル情報フィールドと、前記各々の放送チャネルフィールドの開始及び終了位置を表示するチャネル位置フィールドと、をもつ請求項７に記載の記録媒体。
【請求項９】
ペイロード部の放送チャネルフィールドは、
デジタル放送データであるＭＰＥＧデータフィールドと、
前記ＭＰＥＧデータフィールドのチャネル情報を含むＰＩＤ情報フィールドと、からなる請求項８に記載の記録媒体。
【発明の詳細な説明】
【技術分野】
【０００１】
本発明は、光伝送網を利用した放送サービスに関し、特に、ＡＴＭ方式の光伝送網を利用した放送サービスに関する。
【背景技術】
【０００２】
現在、デジタル放送では、光伝送網を利用して各加入者に放送データを伝達している。既存のアナログ放送では、チャネルデータ全部を加入者に伝達し、その加入者は受信した全部のチャネルデータから所望のチャネルだけをＴＶ受像機やセットアップボックスなどを通じて選択し、放送サービスを受けてきた。しかし、デジタル放送サービスにおいては、アナログ放送とは違い、チャネル情報全部を加入者側へ転送して加入者にチャネルを選択させることはできない。これは、デジタル放送サービスにおいて、各チャネルは、ＨＤ（High Definition）ＴＶの場合約２０Ｍｂpｓで転送される必要があり、ＳＤ（Standard Definition）ＴＶの場合でも約３〜６Ｍｂpｓで転送される必要があるため、そのチャネルの数が増加すると、加入者への転送に数百Ｍｂpｓ以上の速度を必要とすることになり、全てのチャネル情報を加入者に伝達するには無理があるためである。
【０００３】
そこで、デジタル放送では、チャネル情報全部を終端まで送るのではなく、ＯＬＴ（Optical Line Terminal）局やＯＮＵ（Optical Network Unit）局で加入者が希望するチャネル情報を受信し、加入者にはその加入者が希望するチャネルのデータだけを転送するようにしてる。このため、各々のデジタル放送チャネルを加入者に連結させるためのデジタル放送チャネルと加入者との間のスイッチングが重要な課題として浮上することになった。
【０００４】
図１は、従来のデジタル放送サービスのための光伝送網を示す構成図である。
【０００５】
図１に示すように、従来のデジタル放送サービスのための光伝送網は、加入者１３にデジタル放送サービスを提供するために放送事業者から受信したデジタル放送データを電光変換した後、一つの光信号としてグループ化して送るＯＬＴ（Optical Line Terminal）１１、ＯＬＴ １１から受けた情報を加入者１３に伝達する使用者側装置であるＯＮＵ（Optical Network Unit）１２、そしてＯＬＴ １１とＯＮＵ １２とを連結する光ケーブルから構成される。
【０００６】
特に、ＯＮＵ １２は、ＯＬＴ １１から受信したデジタル放送データが含まれた光信号を、ＡＴＭフォーマットの電気信号に変換するＳＤＨ（Synchronous Digital Hierarchy） to ＡＴＭ処理部１０３、デジタル放送データを各々のチャネル別に分けるＡＴＭセル分類部１０４、ＯＬＴ １１から放送チャネル情報を受信して処理する放送チャネル情報処理部１０１、各構成要素を制御する制御部１０２、及びチャネル別に分けられたデジタル放送データを各々の加入者に連結させるようにスイッチングするスイッチ１０５を備えている。
【０００７】
このように構成される光伝送網における動作を詳細に説明すれば、まず、多数の放送サービス提供者は各々のＶＣＣ（Virtual Channel Connection）を用いてＯＬＴ １１にデジタル放送データを転送する。ここで、ＶＣＣは、多数のチャネルを一束にグループ化した経路であるＶＰ（Virtual Path）の通信チャネルである。そして、ＯＬＴ １１は、各々のデジタル放送データをＳＤＨ方式の光伝送フォーマットに変換してそれをＯＮＵ １２に転送する。すると、ＯＮＵ １２のＳＤＨ（Synchronous Digital Hierarchy） to ＡＴＭ処理部１０３は、ＳＤＨフォーマットで転送されたデジタル放送データをＡＴＭフォーマットに変換する。ここで、ＡＴＭフォーマットに変換されたデジタル放送データはＡＴＭセル分類部１０４で各々のチャネル別デジタル放送データに分類される。そして、各々のチャネル別デジタル放送データはスイッチ１０５に入力されて、加入者１３の要求に応じて加入者１３にスイッチングされる。
【０００８】
この時、ＡＴＭセルに分類されたデジタル放送データには該当デジタル放送に関する放送チャネル情報が含まれていないが、このような放送チャネル情報を処理するために放送チャネル情報処理部１０１を有している。つまり、放送チャネル情報はＯＬＴ １１から別途の回線を通じて伝達され、これにより放送チャネル情報処理部１０１に伝達された放送チャネル情報にはデジタル放送情報に含まれたＰＩＤ（Program ID）と対応する放送局情報などが含まれる。したがって、ＯＬＴ １１や放送サービス提供者が任意に追加、変更、削除したチャネルに対するアップデートが可能になる。
【０００９】
しかし、上述した従来の方法は２つの点において問題がある。その一つは、デジタル放送チャネルの数が増加するにつれて、各々の放送チャネル別に分類されるＡＴＭセル分類部１０４の出力チャネルの量が多くなり、これにより、スイッチ１０５が多量のチャネルをスイッチングしなければならないという点である。一般に、入力と出力の数が多い大容量のスイッチは、その動作が複雑で、コスト高となる問題点が発生するため、それに対する改善が望まれている。しかも、チャネルがさらに増加すると、スイッチを交換しなければならない修理上の問題点も発生してしまう。
【００１０】
他の一つは、既存のデジタル放送のための光伝送網では、イーサネット（登録商標）を通じて各ＯＮＵでチャネル別デジタル放送データに対する個々のＰＩＤ（program ID）情報をあらかじめ持っているようにし、デジタル放送チャネルの追加または除去、及び放送チャネルの再配置の際にその変化されたデジタル放送チャネル情報を人為的にＯＬＴ １１から各々のＯＮＵ １２にアップデートするようにしている。しかし、新しいデジタル放送チャネルの追加や既存デジタル放送チャネルの除去及び放送チャネルの再配置のさい、その変化されたデジタル放送チャネル情報を人為的にＯＬＴ １１からＯＮＵ １２に知らせるようにして新しい放送チャネルの追加や既存の放送チャネルの除去及び放送チャネルの再配置が発生する場合、ＯＮＵ １２にその情報が人為的にアップデートされるまでは加入者１３はその変化に対するサービスを受けられないことがある。
【００１１】
しかも、放送チャネル情報を別途のラインを通じて転送するため、付加的なハードウェア（線路など）が必要となる問題点がある。
【発明の開示】
【発明が解決しようとする課題】
【００１２】
本発明は、上記の問題点に鑑みてなされたものであり、ＶＣＣ別スイッチングを通じて迅速で柔軟なチャネルスイッチングを可能にするデジタル放送チャネルスイッチング装置及びその方法を提供することをその目的とする。
【００１３】
また、本発明の他の目的は、ＶＣＣ別スイッチング情報を転送するに当たって放送チャネル情報を含ませるようにし、この放送チャネル情報を自動的にアップデートさせることによって、ＯＮＴにおいて新しい放送チャネルの追加、既存の放送チャネルの除去、そして放送チャネルの再配置がある場合にも、ＯＮＵが独自的且つ自動的に判断してスイッチングできるようにするデジタル放送チャネルスイッチング装置及びその方法を提供することにある。
【課題を解決するための手段】
【００１４】
上記の目的を達成するべく、本発明は、多数のデジタル放送チャネルデータをＶＣＣ別に分けて転送する光伝送網のデジタル放送チャネルスイッチング装置において、ＯＬＴからの光信号をＶＣＣ別に分類されたＡＴＭセルに変換する光信号受信部と、この光信号受信部から伝達されるＶＣＣ別に分類されたＡＴＭセルからヘッダー情報及びペイロード部を各々出力するＡＴＭセルＶＣＣ別分類部と、そのヘッダー情報を受けて制御を行う制御部と、ＡＴＭセルＶＣＣ別分類部から各ＶＣＣに該当するＡＴＭセルのペイロード部をそれぞれ受け、該ペイロード部に含まれた多数のデジタル放送チャネルデータから放送チャネル別ＰＩＤを抽出し、制御部の制御に応じてペイロード部に含まれた多数の放送チャネルデータのうちからいずれかの放送チャネルデータを出力する所定の個数のＰＩＤ分析部と、このＰＩＤ分析部から出力された放送チャネルデータを受信し、これを制御部の制御に応じて該当加入者へスイッチングするスイッチと、を備え、制御部は、ＡＴＭセルＶＣＣ別分類部からＶＣＣ別に分類されたＡＴＭセルのヘッダー情報を受けて放送チャネル情報をアップデートし、加入者から希望する放送チャネルの選択情報を受信し、その希望する放送チャネルが含まれたＶＣＣ情報に基づいてＰＩＤ分析部が希望放送チャネルを出力するように制御し、該出力されたチャネルが該当加入者へ交換されるようにスイッチを制御することを特徴とするＶＣＣ情報を利用したデジタル放送チャネルスイッチング装置を提案する。
【００１５】
ＡＴＭセルのヘッダー情報は、ＶＣＣ別に分類されたＡＴＭセルがＡＴＭ ＶＣＣであることを表示するＡＴＭ ＶＣＣフィールドと、新しい放送チャネルの追加、既存の放送チャネルの除去、そして放送チャネルの再配置を含むＶＣＣ別放送チャネルの変化を表示するために、ＶＣＣ別に分類されたＡＴＭセルのペイロード部に含まれた各々の放送チャネルフィールドのＰＩＤ情報に対応する放送局情報を含むチャネル情報フィールドと、各々の放送チャネルフィールドの開始及び終了位置を表示するチャネル位置フィールドと、を含むものとする。
【００１６】
制御部は、ＡＴＭセルＶＣＣ別分類部からＶＣＣ別に分類されたＡＴＭセルのヘッダー情報を受信して放送チャネル情報をアップデートする第１機能と、加入者から希望放送チャネルの選択情報を受け、アップデートされた放送チャネル情報から希望放送チャネルが含まれたＶＣＣ情報を検索し、該当ＶＣＣ情報に基づいてＰＩＤ分析部に希望放送チャネルに対する出力信号を転送して希望放送チャネルを出力するように制御する第２機能と、この第２機能により出力された放送チャネルが該当加入者へ交換されるようにスイッチを制御する第３機能と、を行うものとする。
【００１７】
また、本発明は、多数のデジタル放送チャネルデータをＶＣＣ別に分けて転送する光伝送網のデジタル放送チャネルスイッチング方法において、ＯＬＴから受信した光信号をＶＣＣ別に分類されたＡＴＭセルに変換する第１段階と、この第１段階でＶＣＣ別に分類されたＡＴＭセルに含まれるヘッダー部によりＶＣＣ別に放送チャネル情報をアップデートする第２段階と、第１段階でＶＣＣ別に分類されたＡＴＭセルに含まれるペイロード部を各々貯蔵し、このペイロード部に含まれた放送チャネルのＰＩＤを抽出する第３段階と、加入者から希望放送チャネルの選択情報を受け、第２段階のアップデートされたＶＣＣ別放送チャネル情報から希望放送チャネルが含まれたＶＣＣの情報を探す第４段階と、第３段階でＶＣＣ別に貯蔵されたペイロード部のうちの第４段階で探したＶＣＣの情報に該当するぺーロード部から、希望放送チャネルの選択情報に従う放送チャネルデータだけを出力させる第５段階と、この第５段階で出力された放送チャネルデータを該当加入者へスイッチングする第６段階と、を含むことを特徴とするＶＣＣ情報を利用したデジタル放送チャネルスイッチング方法を提案する。
【００１８】
この場合のＶＣＣ別に分類されたＡＴＭセルは、ヘッダー部とペイロード部を含み、そのペイロード部は、多数の放送チャネルフィールドから構成され、そしてヘッダー部は、該ＶＣＣ別に分類されたＡＴＭセルがＡＴＭ ＶＣＣであることを表示するＡＴＭ ＶＣＣフィールドと、新しい放送チャネルの追加、既存の放送チャネルの除去、そして放送チャネルの再配置を含むＶＣＣ別放送チャネルの変化を表示するために、ペイロード部に含まれた各々の放送チャネルフィールドのＰＩＤ情報に対応する放送局情報を含むチャネル情報フィールドと、各々の放送チャネルフィールドの開始及び終了位置を表示するチャネル位置フィールドとから構成されるものとする。このペイロード部の放送チャネルフィールドは、デジタル放送データであるＭＰＥＧデータフィールドと、該ＭＰＥＧデータフィールドのチャネル情報を含むＰＩＤ情報フィールドと、から構成されるものとする。
【００１９】
この他に、本発明は、ＶＣＣ別に分類されたＡＴＭセルのヘッダー部から各々のＶＣＣの放送チャネル情報をアップデートする手段、ＶＣＣ別に分類されたＡＴＭセルの各ペイロード部を貯蔵し、該ペイロード部に含まれた放送チャネル別ＰＩＤを抽出する手段、各々のＶＣＣのアップデートされた放送チャネル情報から、加入者の希望放送チャネルのＶＣＣ情報を検索して該当加入者が希望放送チャネルを受信できるようにする手段、貯蔵されたペイロード部のうちの検索されたＶＣＣ情報に該当するペイロード部から希望放送チャネルのデータだけを出力する手段、そして、出力された放送チャネルデータを該当加入者へスイッチングする手段としてコンピュータを動作させるようにしたことを特徴とするＶＣＣ別に多数のデジタル放送チャネルデータを分類するためのプログラムを記録したコンピュータ読み取り可能な記録媒体を提供する。
【００２０】
この場合のＶＣＣ別に分類されたＡＴＭセルは、ヘッダー部とペイロード部を含み、そのペイロード部は、多数の放送チャネルフィールドをもち、そしてヘッダー部は、該ＶＣＣ別に分類されたＡＴＭセルがＡＴＭ ＶＣＣであることを表示するＡＴＭ ＶＣＣフィールドと、新しい放送チャネルの追加、既存の放送チャネルの除去、そして放送チャネルの再配置を含むＶＣＣ別放送チャネルの変化を表示するために、ペイロード部に含まれた各々の放送チャネルフィールドのＰＩＤ情報に対応する放送局情報を含むチャネル情報フィールドと、各々の放送チャネルフィールドの開始及び終了位置を表示するチャネル位置フィールドと、をもつものとする。このペイロード部の放送チャネルフィールドは、デジタル放送データであるＭＰＥＧデータフィールドと、該ＭＰＥＧデータフィールドのチャネル情報を含むＰＩＤ情報フィールドと、からなるものとする。
【発明の効果】
【００２１】
本発明は、ＶＣＣ別にスイッチングを行うことによって迅速で柔軟なチャネルスイッチングが可能になる効果がある。また、末端に位置するスイッチへの入力に先立ってＶＣＣ別にチャネルの選択を行うためスイッチの規格を縮められるという効果がある。
【００２２】
また、本発明は、ＶＣＣ別スイッチング情報を転送する時、放送チャネル情報も含ませて転送し、これが自動的にアップデートされるようにするため、ＯＮＴで新しい放送チャネルの追加、既存の放送の除去、そして放送チャネルの再配置がある場合にもＯＮＵが独自的且つ自動的に判断しスイッチングできるようにする効果がある。
【発明を実施するための最良の形態】
【００２３】
以下、添付図面を参照しつつ本発明の好ましい実施の形態を詳細に説明する。図面中、同一の構成要素には可能な限り同一の参照番号及び符号を共通使用し、また、本発明の説明において周知技術については適宜説明を省略するものとする。
【００２４】
図２は、本発明によるデジタル放送チャネルスイッチング装置を含む光伝送網の一実施例を示した構成図である。
【００２５】
図２に示すように、本発明による光伝送網は、加入者１３にデジタル放送サービスを提供するために放送事業者から送られてきたデジタル放送データを電光変換した後、一つの光信号にグループ化して送るＯＬＴ（Optical Line Terminal）１１、ＯＬＴ １１から転送されてきた情報を加入者１３に伝達する使用者側装置であるＯＮＵ（Optical Network Unit）２２、そして、ＯＬＴ １１とＯＮＵ １２とを連結する光ケーブルから構成される。
【００２６】
特に、ＯＮＵ ２２は、ＯＬＴ １１から受信した、デジタル放送データの含まれた光信号を、ＡＴＭフォーマットの電気信号に変換するＳＤＨ（Synchronous Digital Hierarchy） to ＡＴＭ処理部２０１（光信号受信部）、デジタル放送データを各々のＡＴＭセルＶＣＣ別に分けるＡＴＭセルＶＣＣ別分類部２０２、ＶＣＣ別に分類されたデジタル放送データにおいてＰＩＤ情報を分析し、制御部２０３の制御による該当チャネルデジタル放送データを出力するＰＩＤ分析部２０４、各構成要素を制御する制御部２０３、及びＰＩＤ分析部２０４から出力する該当チャネルデジタル放送データを各々の加入者に連結されるようにスイッチングするスイッチ２０５を有している。
【００２７】
このように構成される図２の光伝送網における動作を詳細に説明すれば、まず、多数の放送サービス提供者は、デジタル放送データであるＭＰＥＧ２−ＴＳをＡＳＩ（Asynchronous Serial Interface）フォーマットで送信する。そして、ＯＬＴ １１は、各々のデジタル放送データがＡＳＩ（Asynchronous Serial Interface）フォーマットで受信されたら、デジタル放送データであるＭＰＥＧ２−ＴＳのシンクバイト（synchronization byte）でデジタル放送データの開始位置を探し、各々のデジタル放送チャネル別ＰＩＤ情報をフィルタリングし収集する。
【００２８】
そして、各々のＭＰＥＧ２−ＴＳからＡＴＭセルを作り、これを各々の独自のＶＣＣ別に割り当てる。そして、ＶＣＣ別に割り当てられたＡＴＭセルのＰＩＤ情報を利用してＶＣＣフレームのヘッダーを生成する。ＡＴＭにおいてＶＣＣとは、数束のチャネルを一束にグループ化した経路であるＶＰ（Virtual Path）の通信チャネルのことをいう。したがって、放送データは各々のチャネル別に一つの経路を持つのではなく、一つの経路に多数のチャネルが含まれることができる。例えば、ＫＢＳ１、ＫＢＳ２及びＥＢＳ（Education Broadcasting System）デジタル放送をサービスする韓国放送公社は、一つのＶＣＣで３社のデータを転送するのである。
【００２９】
このように構成されたＶＣＣフレームを図３に示す。図３は、本発明の実施例によるデジタル放送チャネルスイッチング装置に使われるＶＣＣフレームの構造図である。図３に示すように、本発明に係るＶＣＣフレームは、ヘッダーフィールド３１と、デジタル放送データを含んだ各チャネルフィールド３２，３３，…を含むペイロード部とから構成される。特に、ヘッダーフィールド３１は、ＡＴＭ ＶＣＣであることを表示するＡＴＭ ＶＣＣフィールド３０１、新しい放送の追加、既存の放送の除去、そして放送チャネルの再配置を含むＶＣＣ別放送チャネルの変化を表示するために各々のチャネルフィールド３２，３３，…のＰＩＤ情報に対応する放送局情報などを含むチャネル情報フィールド３０２、及び各々のチャネルフィールド３２，３３，…の開始及び終了位置を表示するチャネル位置フィールド３０３，３０４，３０５，…を含む。また、ペイロード部は、多数の放送チャネルフィールド３２，３３，…から構成されるが、各々の放送チャネルフィールド３２，３３，…はデジタル放送データであるＭＰＥＧデータフィールド３０７と、チャネル情報を入れたＰＩＤ情報フィールド３０６とを含む。
【００３０】
そして、図３のように構成されたＶＣＣフレームはＳＤＨ光信号に変換されて光線路を通じて転送された後、該ＳＤＨ光信号からＡＴＭセルが分離されるが、この時、まず各々のＶＣＣフレーム別に分離される。そして、ＶＣＣフレームのヘッダーに含まれたチャネル情報フィールド３０２の情報を制御部２０３に転送し、新しい放送の追加、既存の放送の除去、そして放送チャネルの再配置を含むＶＣＣ別放送チャネルの変化などを自動的にアップデートできるようにする。
【００３１】
一方、ＯＮＵ ２２は、上記の方法で形成されたＶＣＣフレームを処理し、加入者にデジタル放送データを伝達する。まず、ＯＮＵ ２２のＳＤＨ（Synchronous Digital Hierarchy） to ＡＴＭ処理部２０１は、ＳＤＨフォーマットで転送されてきたＶＣＣフレームをＡＴＭフォーマットに変換する。そして、ＡＴＭフォーマットに変換されたＶＣＣフレームは、ＡＴＭセルＶＣＣ別分類部２０２でヘッダーとペイロード部とに分類されて処理される。すなわち、ＡＴＭセルＶＣＣ別分類部２０２は、ＶＣＣフレームのヘッダー部に含まれたチャネル情報フィールド３０２の情報を制御部２０３に転送して新しい放送の追加、既存の放送の除去、そして放送チャネルの再配置を含むＶＣＣ別放送チャネルの変化などを自動的にアップデートできるようにし、一方、ＶＣＣフレームのペイロード部に含まれた多数の放送チャネルフィールド３２，３３，…はＰＩＤ分析部２０４に転送する。
【００３２】
また、制御部２０３は、ＶＣＣフレームのヘッダー部３１に含まれたチャネル情報フィールド３０２の情報をＡＴＭセルＶＣＣ別分類部２０２から受信して、ＶＣＣ別放送チャネルの変化などを自動的にアップデートし、加入者から所望の放送チャネルに関する選択情報を受けて、アップデートされたＶＣＣ別放送チャネルから該当ＶＣＣを探し、加入者所望の放送チャネルのＰＩＤ情報をＰＩＤ分析部２０４に転送し、このＰＩＤ分析部２０４が該当放送チャネルのデジタル放送データを出力するように制御する。また、制御部２０３は、該当デジタル放送データと加入者が連結されるようにスイッチ２０５を制御する。
【００３３】
そして、ＰＩＤ分析部２０４は、ＡＴＭセルＶＣＣ別分類部２０２からＶＣＣフレームのペイロード部に含まれた多数の放送チャネルフィールド３２，３３，…を受けて、各々の放送チャネルフィールド３２，３３，…に含まれたＰＩＤ情報（３０６）を抽出し、制御部２０３から、出力すべき放送データのＰＩＤ情報を受信して該当放送データをスイッチ２０５に出力する。すなわち、ＶＣＣ別に分類されたＶＣＣフレームは多数の放送チャネルのデジタル放送データを持っているが、ＰＩＤ分析部２０４は、ＶＣＣフレームに含まれた多数の放送チャネルのデジタル放送データのうち、加入者１３により選択された放送チャネルのデジタル放送データだけがスイッチ２０５に入力されるようにする。
【００３４】
次いで、スイッチ２０５は、ＰＩＤ分析部２０４から出力されたデジタル放送データを制御部２０３の制御に応じて希望する加入者１３と対応するようにスイッチングする。
【００３５】
以上の構成によれば、全チャネルがスイッチングされる従来の技術に比べて、そのスイッチングの動作を減らすことができ、追加のハードウェアを構成することなくチャネル情報のアップデートが可能になる。
【００３６】
図４は、本発明の一実施例によるＯＮＵでのデジタル放送チャネルスイッチング方法を示す流れ図である。
【００３７】
まず、ＯＮＵ ２２がＳＤＨフォーマットの放送データを受信すれば（４０１）、これをＡＴＭフォーマットに変換し、変換されたＡＴＭセルをＶＣＣ別に分類する（４０２）。そして、ＯＮＵ ２２は、ＶＣＣ別分類に際して抽出されるＶＣＣ別チャネル情報（図３のチャネル情報フィールド３０２）を制御部２０３に転送して自動的に放送チャネル情報をアップデートし、また、ＶＣＣに含まれたチャネルのデジタル放送データを有するＶＣＣ別チャネルデータはＰＩＤ分析部２０４に送る（４０３）。
【００３８】
そして、制御部２０３は、加入者から所望の放送チャネルの選択情報を受け、４０３過程でアップデートした放送チャネル情報から所望の放送チャネルのＶＣＣを確認し、該当ＶＣＣのＰＩＤ分析部２０４に、出力すべき放送チャネルの情報を転送する。
【００３９】
すると、ＰＩＤ分析部２０４は、ＶＣＣ別チャネルデータに含まれた放送チャネルのＰＩＤ情報を抽出し、制御部２０３から加入者希望の放送チャネルに対する情報を受け、抽出されたＰＩＤ情報の中で加入者が希望する放送チャネル情報に対応する放送チャネルデータだけをスイッチ２０５に入力する（４０４）。これにより、スイッチ２０５は加入者別に希望するチャネルデータを転送する（４０５）。
【００４０】
上述した本発明の方法はプログラムで具現され、コンピュータ読み取り可能な記録媒体（ＣＤ−ＲＯＭ、ＲＡＭ、フレキシブルディスク、ハードディスク、光磁気ディスクなど）に収録可能である。
【００４１】
以上説明してきた本発明は、本発明の属する技術分野で通常の知識を持つ者により本発明の技術的思想を外れない範囲内で様々な置換、変形及び変更が可能なので、本発明は、上述した実施形態及び添付図面によって限定されるものではない。
【図面の簡単な説明】
【００４２】
【図１】従来の放送サービスのための光伝送網を例示する構成図。
【図２】本発明の一実施例によるデジタル放送チャネルスイッチング装置を含む光伝送網の構成図。
【図３】本発明の一実施例によるデジタル放送チャネルスイッチング装置に使われるＶＣＣフレームの構造図。
【図４】本発明の一実施例によるＯＮＵでのデジタル放送チャネルスイッチング方法を示す流れ図。
【符号の説明】
【００４３】
１１：ＯＬＴ
１３：加入者（Subscriber）
２２：ＯＮＵ
２０１：ＳＤＨ to ＡＴＭ処理部（SDH-to-ATM Processor）
２０２：ＡＴＭセルＶＣＣ別分類部（VCC-Based ATMcell Classifier）
２０３：制御部（Controller）
２０４：ＰＩＤ分析部（PID Analyzer）
２０５：スイッチ（Switch）
【図１】
2004343772.tif 000003
【図２】
2004343772.tif 000004
【図３】
2004343772.tif 000005
【図４】
2004343772.tif 000006